(57)【要約】      （修正有）【課題】カードスキャン時の歪みの現象を自動校正できる伝動デバイスを提供する。【解決手段】伝動デバイスは自動スキャナー上に設置されるペーパーピックアップローラーセット１０、ペーパーフィードローラーセット２０、ペーパーアウトプットローラーセット３０、駆動モーター８０、ワンウェイギアセット、第一ギアセット５０、第二ギアセット６０、ワンウェイクラッチ７０を有する。ペーパーフィードローラーセット２０はペーパーフィードローラー２１及びペーパーフィードローラー軸２２を有する。ペーパーアウトプットローラーセット３０はペーパーアウトプットローラー３１及びペーパーアウトプットローラー軸３２を有する。駆動モーター８０はペーパーピックアップローラーセット１０、ペーパーフィードローラーセット２０、ペーパーアウトプットローラーセット３０を駆動する。ワンウェイギアセットは第一ワンウェイ伝動ギア４１及び第二ワンウェイ伝動ギア４２を有する。【選択図】図４
0003211751.tif 000002
【実用新案登録請求の範囲】
【請求項１】
伝動デバイスであって、自動スキャナー上に設置されるペーパーピックアップローラーセット、ペーパーフィードローラーセット、ペーパーアウトプットローラーセット、駆動モーター、ワンウェイギアセット、第一ギアセット、第二ギアセット、ワンウェイクラッチを有し、
前記ペーパーフィードローラーセットは、ペーパーフィードローラー及びペーパーフィードローラー軸を有し、
前記ペーパーアウトプットローラーセットは、ペーパーアウトプットローラー及びペーパーアウトプットローラー軸を有し、
前記駆動モーターは、ペーパーピックアップローラーセット、ペーパーフィードローラーセット及びペーパーアウトプットローラーセットを駆動し、
前記ワンウェイギアセットは、第一ワンウェイ伝動ギア及び第二ワンウェイ伝動ギアを有し、前記第一ワンウェイ伝動ギアは、ペーパーフィードローラー軸一端に嵌めて設置され、第二ワンウェイ伝動ギアは、ペーパーフィードローラー軸のもう一つの端に嵌めて設置され、第一ワンウェイ伝動ギアと第二ワンウェイ伝動ギアは、異なる方向へとペーパーフィードローラー軸を一方向に駆動し、
前記第一ギアセットは、複数の伝動ギアを有し、ペーパーフィードローラー軸及びペーパーアウトプットローラー軸両端に設置し、第一ワンウェイ伝動ギアと第一ギアセットの内の一つの伝動ギアは噛み合い、前記駆動モーターは、第一ギアセットの駆動を通して、ワンウェイギアセットの第一ワンウェイ伝動ギアを駆動し、ペーパーフィードローラーセットを連動し、一方向へと回転させ、
前記駆動モーターは、第一ギアセットを駆動することで、ペーパーアウトプットローラーセットを伝動し、異なる方向へと回転させ、
前記第二ギアセットは、ペーパーピックアップローラーセット一端に設置され、ペーパーフィードローラー軸一端に嵌めて設置する伝動ギアと噛み合い、前記駆動モーターは、第一ギアセットを駆動し、第一ワンウェイ伝動ギアを伝動し、一方向へと回転させると、ペーパーフィードローラー軸を伝動して一方向へと伝動し、こうして、ペーパーフィードローラー軸のもう一つの端に嵌めて設置される伝動ギアは、ペーパーピックアップローラーセットを連動し、一方向へ回転させ、
前記ワンウェイクラッチは、ペーパーフィードローラー軸及びペーパーアウトプットローラー軸一端に設置され、ペーパーフィードローラー軸とペーパーアウトプットローラー軸との間に設置され、第一クラッチギア、第二クラッチギア及び前記第一クラッチギアと前記第二クラッチギアとの間に設置されるワンウェイクラッチギア、及び前記第二クラッチギア一側に設置される圧伸バネを有し、
前記第一クラッチギアとペーパーアウトプットローラー軸一端に嵌めて設置される伝動ギアは噛み合い、
前記第二クラッチギアと第二ワンウェイ伝動ギアは噛み合い、圧伸バネは、第二クラッチギアを押え、これにより第二クラッチギアとクラッチギアの空転時の回転を回避し、ワンウェイクラッチギアは、第二クラッチギアと噛み合い、これにより前記第二クラッチギアは一方向へのみ回転することを特徴とする伝動デバイス。
【請求項２】
前記第一ギアセットは、駆動モーター８０と連接する駆動ギア、第一伝動ギア及び第二伝動ギアを有し、
前記駆動ギアは、第一伝動ギア５２と噛み合い、第二伝動ギアは、第一伝動ギアと噛み合い、第一ワンウェイ伝動ギアは、第二伝動ギアと噛み合い、
前記第一ギアセットは、相互に噛み合う２個の第三伝動ギア及びペーパーアウトプットローラー軸一端に固定して連接する第四伝動ギアをさらに有し、いずれか一つの第三伝動ギアは、第二伝動ギアと噛み合い、もう一つの第三伝動ギアは、第四伝動ギアと噛み合うことを特徴とする請求項１に記載の伝動デバイス。
【請求項３】
前記第二ギアセットは、第七伝動ギア、及び前記第七伝動ギアと噛み合う第八伝動ギアを有し、
前記第七伝動ギアは、第五伝動ギアに噛み合い、前記第八伝動ギアは、ペーパーピックアップローラーセット一端に固定して連接することを特徴とする請求項１に記載の伝動デバイス。
【請求項４】
前記第一クラッチギアは、第二クラッチギアへ向かう第一接触凸部を有し、
前記ワンウェイクラッチギアは、第一クラッチギアに向かう斜面を有し、
前記第一クラッチギアが第一接触凸部まで回転し、ワンウェイクラッチギアの斜面を押すと、第一クラッチギアは、第二クラッチギアを連動し同方向に回転させることを特徴とする請求項１に記載の伝動デバイス。
【考案の詳細な説明】
【技術分野】
【０００１】
本考案は動力伝動デバイスに関し、特にオートペーパーフィーダーの伝動デバイスに関する。
【背景技術】
【０００２】
ソフト／ハードウエアの進歩に従い、スキャナーはすでに多くのコンピューター使用者にとって基本配備の一つとなっている。
それはドキュメント、雑誌、書籍、図画等の文字或いは図像材料をスキャンしコンピューターにインプットし、処理するものである。
ドキュメントに対してスキャンを行う時には、モーター、スキャンユニット上に設置されるギアセット、伝動ベルト等伝動機構により、スキャンユニットを連動し、スキャンユニット上方に水平に置かれたドキュメントに対してスキャンを行う。
もう一つ種の方式は、スキャンユニットは移動せず、伝動機構により、スキャンしようとするドキュメントを連動し、同様にイメージスキャンの目的を達成できるものである。
この方式では、スキャンの効率を上げるため、一般的にはオートペーパーフィーダーを設置する。
既存のオートペーパーフィーダーは、カードを輸送する通路を有し、オートペーパーフィーダーには、多種の異なる伝動デバイスをそれぞれ設置し、カードの進入とスキャンをコントロールする。
【０００３】
カードをスキャンする時には、カードがオートペーパーフィーダーに進入する際には歪みの現象が生じる。
しかも、従来のオートペーパーフィーダーの多くでは、少なくとも２個のモーター、或いはクラッチ、或いは電磁バルブ等デバイスを採用し、ペーパーピックアップデバイス及びペーパーフィードローラーをそれぞれ駆動する構造である。
但し、多くのモーターを配置するため、製造コストが高く、しかも型化が容易でない。
上述の欠点を解決するためには、既存のオートペーパーフィーダー及びその内の伝動デバイスに改善を加える必要がある。
【考案の概要】
【考案が解決しようとする課題】
【０００４】
本考案の目的は、単一の駆動モーターにより、ペーパーピックアップローラーセット、ペーパーフィードローラーセット及びペーパーアウトプットローラーセットを同時に駆動可能なオートペーパーフィーダーの伝動デバイスで、カードスキャン時の歪みの現象を自動校正でき、コスト削減の目的を達成できる伝動デバイスを提供することにある。
【課題を解決するための手段】
【０００５】
本考案による伝動デバイスは、自動スキャナー上に設置され、ペーパーピックアップローラーセット、ペーパーフィードローラーセット、ペーパーアウトプットローラーセット、駆動モーター、ワンウェイギアセット、第一ギアセット、第二ギアセット及びワンウェイクラッチを有する。
該ペーパーフィードローラーセットは、ペーパーフィードローラー及びペーパーフィードローラー軸を有する。
該ペーパーアウトプットローラーセットは、ペーパーアウトプットローラー及びペーパーアウトプットローラー軸を有する。
該駆動モーターは、ペーパーピックアップローラーセット、ペーパーフィードローラーセット及びペーパーアウトプットローラーセットを駆動する。
該ワンウェイギアセットは、第一ワンウェイ伝動ギア及び第二ワンウェイ伝動ギアを有する。
該第一ワンウェイ伝動ギアは、ペーパーフィードローラー軸一端に嵌めて設置され、第二ワンウェイ伝動ギアは、ペーパーフィードローラー軸のもう一つの端に嵌めて設置され、第一ワンウェイ伝動ギアと第二ワンウェイ伝動ギアは、異なる方向へとペーパーフィードローラー軸を一方向に駆動する。
該第一ギアセットは、複数の伝動ギアを有し、ペーパーフィードローラー軸及びペーパーアウトプットローラー軸両端に設置する。
該第一ワンウェイ伝動ギアと第一ギアセットの内の一つの伝動ギアは噛み合い、該駆動モーターは、第一ギアセットの駆動を通して、ワンウェイギアセットの第一ワンウェイ伝動ギアを駆動し、該ペーパーフィードローラーセットを連動し、一方向へと回転させる。
該駆動モーターは、第一ギアセットを駆動することで、ペーパーアウトプットローラーセットを伝動し、異なる方向へと回転させる。
該第二ギアセットは、ペーパーピックアップローラーセット一端に設置され、ペーパーフィードローラー軸一端に嵌めて設置する伝動ギアと噛み合う。
該駆動モーターは、第一ギアセットを駆動し、第一ワンウェイ伝動ギアを伝動し、一方向へと回転させると、ペーパーフィードローラー軸を伝動して一方向へと伝動する。
こうして、ペーパーフィードローラー軸のもう一つの端に嵌めて設置される伝動ギアは、ペーパーピックアップローラーセットを連動し、一方向へ回転させる。
該ワンウェイクラッチは、ペーパーフィードローラー軸及びペーパーアウトプットローラー軸一端に設置され、ペーパーフィードローラー軸とペーパーアウトプットローラー軸との間に設置され、第一クラッチギア、第二クラッチギア、該第一クラッチギアと該第二クラッチギアとの間に設置されるワンウェイクラッチギア、及び該第二クラッチギア一側に設置される圧伸バネを有する。
該第一クラッチギアと該ペーパーアウトプットローラー軸一端に嵌めて設置される伝動ギアは噛み合い、該第二クラッチギアと第二ワンウェイ伝動ギアは噛み合い、圧伸バネは、第二クラッチギアを押え、これにより第二クラッチギアとクラッチギアの空転時の回転を回避する。
該ワンウェイクラッチギアは、第二クラッチギアと噛み合い、これにより第二クラッチギアは一方向へのみ回転する。
【考案の効果】
【０００６】
上述の通り、本考案伝動デバイスは、カード歪みを矯正する作用を備え、本考案によるオートペーパーフィーダーの伝動デバイスの駆動モーターは駆動ペーパーピックアップローラーセット、ペーパーフィードローラーセット及びペーパーアウトプットローラーセットを同時に駆動でき、多数の駆動モーターを使用したコントロールを回避することで、コストを削減できる。
【図面の簡単な説明】
【０００７】
【図１】本考案によるオートペーパーフィーダーの立体図である。
【図２】図１に示すオートペーパーフィーダーの部分立体図である。
【図３】図１に示すオートペーパーフィーダーの伝動デバイスの立体図である。
【図４】図１に示すオートペーパーフィーダーの伝動デバイスのもう一つの角度の立体図である。
【図５】図１に示すオートペーパーフィーダーのワンウェイクラッチの立体図である。
【図６】図５に示すオートペーパーフィーダーのワンウェイクラッチの立体分解図である。
【考案を実施するための形態】
【０００８】
（一実施形態）
図１乃至図３に示す通り、本考案による伝動デバイス１００は、オートペーパーフィーダー２００中に取り付けられる。
オートペーパーフィーダー２００は、紙とカードをスキャンする機能を備える。
【０００９】
伝動デバイス１００は、ペーパーピックアップローラーセット１０、ペーパーフィードローラーセット２０、ペーパーアウトプットローラーセット３０及びペーパーピックアップローラーセット１０、ペーパーフィードローラーセット２０とペーパーアウトプットローラーセット３０を駆動する駆動モーター８０を有する。
本実施形態において、図１中のオートペーパーフィーダー２００の前方は前方で、図３中ではオートペーパーフィーダー２００の左方向から右へ駆動モーター８０を見る。
駆動モーター８０の時計回り回転は、正回転で、駆動モーター８０の逆時計回り回転は、反回転である。
図１に示す通り、オートペーパーフィーダー２００が紙をスキャンすると、紙は後端から入り前端から送り出される。
オートペーパーフィーダー２００がカードをスキャンすると、カードは前端から入り前端から送り出される。
【００１０】
図２乃至図６に示す通り、ペーパーフィードローラーセット２０は、ペーパーフィードローラー２１及びペーパーフィードローラー軸２２を有する。
【００１１】
ペーパーアウトプットローラーセット３０は、ペーパーアウトプットローラー３１及びペーパーアウトプットローラー軸３２を有する。
【００１２】
伝動デバイス１００はさらに、駆動モーター８０により駆動されるワンウェイギアセット４０、第一ギアセット５０、第二ギアセット６０、及びペーパーフィードローラー軸２２及びペーパーアウトプットローラー軸３２一端に設置され、ペーパーフィードローラー軸２２及びペーパーアウトプットローラー軸３２との間に設置されるワンウェイクラッチ７０を有する。
【００１３】
ワンウェイギアセット４０は、第一ワンウェイ伝動ギア４１及び第二ワンウェイ伝動ギア４２を有する。
第一ワンウェイ伝動ギア４１は、ペーパーフィードローラー軸２２一端に嵌めて設置され、第二ワンウェイ伝動ギア４２は、ペーパーフィードローラー軸２２のもう一つの端に嵌めて設置される。
第一ワンウェイ伝動ギア４１が反対方向に回転する時は空転で、第二ワンウェイ伝動ギア４２が正方向に回転する時は空転である。
よって、第一ワンウェイ伝動ギア４１と第二ワンウェイ伝動ギア４２は、異なる方向へと、ペーパーフィードローラー軸２２を一方向に駆動する。
【００１４】
第一ギアセット５０は、複数の伝動ギアを有し、ペーパーフィードローラー軸２２及びペーパーアウトプットローラー軸３２両端に設置する。
第一ワンウェイ伝動ギア４１と第一ギアセット５０の内の一つの伝動ギアは噛み合い、駆動モーター８０は、第一ギアセット５０の駆動を通して、ワンウェイギアセット４０の第一ワンウェイ伝動ギア４１を駆動し、ペーパーフィードローラーセット２０を連動し、一方向へと回転させる。
駆動モーター８０は、第一ギアセット５０を駆動することで、ペーパーアウトプットローラーセット３０を伝動し、異なる方向へと回転させる。
【００１５】
具体的には、第一ギアセット５０は、駆動モーター８０と連接する駆動ギア５１、第一伝動ギア５２及び第二伝動ギア５３を有する。
駆動ギア５１は、第一伝動ギア５２と噛み合い、第二伝動ギア５３は、第一伝動ギア５２と噛み合い、第一ワンウェイ伝動ギア４１は、第二伝動ギア５３と噛み合う。
第一ギアセット５０は、相互に噛み合う２個の第三伝動ギア５４及びペーパーアウトプットローラー軸３２一端に固定して連接する第四伝動ギア５５をさらに有する。
いずれか一つの第三伝動ギア５４は、第二伝動ギア５３と噛み合い、もう一つの第三伝動ギア５４は、第四伝動ギア５５と噛み合う。
第一ワンウェイ伝動ギア４１は、ペーパーフィードローラー軸２２上に固定され、第四伝動ギア５５は、ペーパーアウトプットローラー軸３２上に固定される。
これにより、ペーパーフィードローラー２１及びペーパーアウトプットローラー３１と駆動モーター８０の回転方向は反対となる。
第一ギアセット５０は、第五伝動ギア５６及び第六伝動ギア５７をさらに有する。
第五伝動ギア５６は、ペーパーフィードローラー軸２２の、第二ワンウェイ伝動ギア４２に嵌めて設置する一端に固定して連接する。
第六伝動ギア５７は、ペーパーアウトプットローラー軸３２のもう一つの端に固定して連接する。
【００１６】
第二ギアセット６０は、ペーパーピックアップローラーセット１０一端に設置され、ペーパーフィードローラー軸２２一端に嵌めて設置する伝動ギアと噛み合う。
駆動モーター８０は、第一ギアセット５０を駆動し、第一ワンウェイ伝動ギア４１を伝動し、一方向へと回転させると、ペーパーフィードローラー軸２２を伝動して一方向へと伝動する。
こうして、伝動ペーパーフィードローラー軸２２一端に嵌めて設置する伝動ギア５６は、ペーパーピックアップローラーセット１０を連動し、一方向へ回転させる。
具体的には、第二ギアセット６０は、第七伝動ギア６１及び第七伝動ギア６１と噛み合う第八ワンウェイ伝動ギア６２を有する。
第七伝動ギア６１は、第五伝動ギア５６と噛み合い、第八ワンウェイ伝動ギア６２は、ペーパーピックアップローラーセット１０一端に固定して連接する。
【００１７】
図３、図５及び図６に示す通り、ワンウェイクラッチ７０は、ペーパーフィードローラー軸２２及びペーパーアウトプットローラー軸３２一端に設置され、ペーパーフィードローラー軸２２とペーパーアウトプットローラー軸３２との間に設置される。
ワンウェイクラッチ７０は、第一クラッチギア７１、第二クラッチギア７２、第一クラッチギア７１と第二クラッチギア７２との間に設置されるワンウェイクラッチギア７３、及び第二クラッチギア７２一側に設置される圧伸バネ７４を有する。
第一クラッチギア７１とペーパーアウトプットローラー軸３２一端に嵌めて設置される第六伝動ギア５７とは噛み合い、第二クラッチギア７２とペーパーフィードローラー軸２２一端に嵌めて設置される第二ワンウェイ伝動ギア４２とは噛み合う。
具体的には、第一クラッチギア７１とペーパーアウトプットローラー軸３２一端に嵌めて設置される第六伝動ギア５７とは噛み合う。
圧伸バネ７４は、第二クラッチギア７２を押え、これにより第二クラッチギア７２とクラッチギア７３の空転時の回転を回避する。
ワンウェイクラッチギア７３は、第二クラッチギア７２と噛み合い、これにより第二クラッチギア７２は一方向へのみ回転する。
具体的には、第一クラッチギア７１は、第二クラッチギア７２へ向かう第一接触凸部７１１を有し、ワンウェイクラッチギア７３は、第一クラッチギアに向かう斜面７３１を有する。
第一クラッチギア７１が第一接触凸部７１１まで回転し、ワンウェイクラッチギア７３の斜面７３１を押すと、第一クラッチギア７１は、第二クラッチギア７２を連動して同方向へと回転させる。
【００１８】
駆動モーター８０は、第一ギアセット５０を双方向で連動でき、第一ギアセット５０の回転方向が異なる時には、第一ギアセット５０は、第二伝動ギア５３を通して、第三伝動ギア５４を連動し、ペーパーピックアップローラーセット１０を駆動して、異なる回転方向を生じさせる。
第一ワンウェイ伝動ギア４１、第二ワンウェイ伝動ギア４２は、ペーパーフィードローラー軸２２をそれぞれ連動し、異なる方向へ回転させる。
【００１９】
駆動モーター８０は、第一ギアセット５０の駆動を通して、ワンウェイギアセット４０の第一ワンウェイ伝動ギア４１を駆動し、ペーパーフィードローラー軸２２を連動して一方向へと回転させる。
こうして、ペーパーフィードローラー軸２２一端に嵌めて設置する伝動ギアを通して、第二ギアセット６０を伝動し、一方向へと回転させる。
こうして、ペーパーピックアップローラーセット１０を連動し、一方向へ回転させると同時に、駆動モーター８０は、第一ギアセット５０を駆動し、ペーパーアウトプットローラー軸３２を伝動して、一方向へと伝動する。
【００２０】
駆動モーター８０は、第一ギアセット５０の駆動を通して、第二伝動ギア５３を駆動し、ペーパーフィードローラー軸２２を連動し、もう一つの方向へと回転すると、第一ワンウェイ伝動ギア４１とペーパーフィードローラー軸２２は、空転する。
この時ペーパーフィードローラー軸２２は、回転しない。
駆動モーター８０は、第一ギアセット５０の駆動を通して、ペーパーアウトプットローラー軸３２を伝動し、もう一つの方向へと回転させる。
こうして、ペーパーアウトプットローラー軸３２一端に嵌めて設置される伝動ギアを通して、ワンウェイクラッチ７０の第一クラッチギア７１を伝動し、一方向へと回転させ、距離を設定後、ワンウェイクラッチギア７３と噛み合い、第二クラッチギア７２を連動し一方向へと回転させる。
こうして、第二ワンウェイ伝動ギア４２を連動し、別の方向へと回転し、距離を設定後、駆動モーター８０は回転方向を改変し、駆動モーター８０は第一ギアセット５０の駆動を開始し、ペーパーフィードローラー軸２２及びペーパーアウトプットローラー軸３２を伝動して、一方向へと回転させる。
【００２１】
図１乃至図４に示す通り、本考案による伝動デバイス１００及びオートペーパーフィーダー２００が紙スキャンを行う動作プロセスを以下に説明する。
オートペーパーフィーダー２００が動作を開始すると、紙はオートペーパーフィーダー２００後端から進入する。
駆動モーター８０は反回転し、駆動ギア５１の反回転を連動する。
駆動ギア５１は、第一伝動ギア５２、第二伝動ギア５３及び第三伝動ギア５４により、第一ワンウェイ伝動ギア４１及び第四伝動ギア５５の正回転を連動する。
【００２２】
この時、第一ワンウェイ伝動ギア４１は、噛み合いの状態にあり、第一ワンウェイ伝動ギア４１及び第四伝動ギア５５は、ペーパーフィードローラー軸２２及びペーパーアウトプットローラー軸３２の正回転をそれぞれ連動し、こうして紙を送る。
第一ワンウェイ伝動ギア４１と第五伝動ギア５６は正回転し、第五伝動ギア５６は、第七伝動ギア６１と噛み合い、反回転を連動する。
第七伝動ギア６１は、第八伝動ギア６２の正回転を噛み合い連動する。
第八伝動ギア６２は、ペーパーピックアップローラーセット１０の正回転を連動し、ペーパーピックアップローラーセット１０は正回転して、次の紙をピックアップし、後方からオートペーパーフィーダー２００へ進入する。
【００２３】
この時、第二ワンウェイ伝動ギア４２は、噛み合い離脱の状態にあり、第二ワンウェイ伝動ギア４２の正回転時は、空転状態である。
よって、伝達動力をペーパーフィードローラー軸２２に伝えることはない。
ペーパーアウトプットローラー軸３２は正回転し、第六伝動ギア５７の正回転を連動し、こうして第一クラッチギア７１の反回転を連動する。
但し、この時第一クラッチギア７１は、噛み合い離脱の状態にあるため、第二クラッチギア７２の回転を連動する。
しかも同時に、第二クラッチギア７２は、圧伸バネ７４により押さえられるため、回転しない。
ペーパーフィードローラー軸２２及びペーパーアウトプットローラー軸３２は正回転し、こうして紙を送り、オートペーパーフィーダー２００前端から排出される。
【００２４】
図１乃至図４に示す通り、本考案による伝動デバイス１００及びオートペーパーフィーダー２００がカードをスキャンする動作の流れを以下に示す。
オートペーパーフィーダー２００が動作を開始すると、カードは、オートペーパーフィーダー２００前端から進入する。
駆動モーター８０は正回転し、第一ギアセット５０を通して、ペーパーアウトプットローラー３１の反回転を連動し、こうしてカードを送り、オートペーパーフィーダー２００前方から進入を始める。
この時、第一ワンウェイ伝動ギア４１は、噛み合い離脱の状態にあり、よって第一ワンウェイ伝動ギア４１は、ペーパーフィードローラー軸２２の回転を連動し、第二クラッチギア７２は、圧伸バネ７４により押さえられるため回転せず、よって、第二ワンウェイ伝動ギア４２を連動しない。
ペーパーアウトプットローラー軸３２は反回転し、第六伝動ギア５７の反回転を連動し、こうして第一クラッチギア７１の正回転を連動する。
この時、第一接触凸部７１１は斜面７３１と接触しないから、第一接触凸部７１１はワンウェイクラッチギア７３を押せず、こうして、第一クラッチギア７１は正方向空転し、第二クラッチギア７２の回転を連動しない。ペーパーアウトプットローラー軸３２はカードを連動し後方へと移動させペーパーフィードローラー２１に進入する。
【００２５】
この時、第一クラッチギア７１はやはり空転移動にあり、ペーパーフィードローラー軸２２はやはり回転しない。
ペーパーアウトプットローラー軸３２はカードを連動し後方へと継続して移動させる。
カードに滑り現象が起きると、カードの後端縁はペーパーフィードローラー２１を押し、こうしてカード歪み矯正の作用を達成する。
第一クラッチギア７１の空転移動が終了後、第一クラッチギア７１の第一接触凸部７１１は、ワンウェイクラッチギア７３の斜面７３１を押し始める。
こうして、第二クラッチギア７２の正回転を連動し、第二クラッチギア７２は第二ワンウェイ伝動ギア４２と噛み合い反回転し、ペーパーフィードローラー軸２２の反回転を連動し、第一ワンウェイギア４１の反対方向空転を連動する。
即ち、第一ワンウェイギア４１は反回転時に、空転状態にあり、ペーパーフィードローラー２１はカードを連動し、継続して後方へと送り、カードの後端がペーパーフィードローラー２１を離れる時，駆動モーター８０は正回転を停止し、ペーパーフィードローラー軸２２は反回転を停止する。
続いて、駆動モーター８０が反回転を開始し、第一伝動ギアセット５０を通して、ペーパーフィードローラー２１及びペーパーアウトプットローラー３１の正回転を連動し、こうして、カードを送り、スキャンが完成し前方から排出されるまでスキャンを行う。
【００２６】
上述の通り、本考案伝動デバイス１００は、第一ワンウェイギア４１により、ペーパーフィードローラー軸２２一端に嵌めて設置され、第一ワンウェイギア４１は正方向に一方向の回転を行い、反回転時は空転する。
第五伝動ギア５６は、ペーパーフィードローラー軸２２のもう一つの端に嵌めて固定される。
第二ワンウェイ伝動ギア４２は、ペーパーフィードローラー軸２２のもう一つの端と嵌めて設置される。
ワンウェイクラッチ７０は、ペーパーアウトプットローラー軸３２とペーパーフィードローラー軸２２との間に設置され、第一クラッチギア７１とペーパーアウトプットローラー軸３２のもう一つの端に嵌めて設置される第六伝動ギア５７とは噛み合い、第二クラッチギア６２とペーパーフィードローラー軸２２のもう一つの端に嵌めて設置される第二ワンウェイ伝動ギア４２とは噛み合う。
第一ワンウェイギア４１は一方向に正回転し、反回転時は空転する。
第二ワンウェイ伝動ギア４２は一方向に反回転し、正回転時は空転する。
【００２７】
よって、駆動モーター８０の反回転時には、第一ギアセット５０を通して伝動し、第一ワンウェイギア４１は正回転し、ペーパーフィードローラー２１の正回転を連動し、ペーパーアウトプットローラー３１は正回転する。
第五伝動ギアは、第二ギアセット６０を通して伝動され、ペーパーピックアップローラーセット１０は正回転し、ペーパーフィードローラー２１も正回転し、ペーパーアウトプットローラー３１は正回転し、ペーパーピックアップローラーセット１０は正回転し、ドキュメントはスムーズにスキャンを通過する。
【００２８】
駆動モーター８０が正回転すると、第一ギアセット５０を通して伝動し、第一ワンウェイギア４１は反対方向に空転し、ペーパーフィードローラー２１の反回転を連動できない。
ペーパーアウトプットローラー３１は反回転し、しかも第二ギアセット６０を通して伝動し、ワンウェイクラッチ７０中の第一クラッチギア７１は正回転し、カードを持ち込む。
カードは、静止不動のペーパーフィードローラー２１まで伝送され、カードの後端縁は、ペーパーフィードローラー２１を押し、こうしてカード歪み矯正の作用を達成する。
第一クラッチギア７１は、設定距離の正回転を完了後、第一クラッチギア７１の第一接触凸部７１１は、ワンウェイクラッチギア７３の斜面７３１を押す。
これにより、ワンウェイクラッチギア７３と第二クラッチギア７２とは噛み合い、第二クラッチギア７２の正回転を連動し、第二ワンウェイ伝動ギア４２の反回転を連動し、ペーパーフィードローラー軸２２の反回転を連動し、第一ワンウェイギア４１の反対方向空転を連動する。
即ち、第一ワンウェイギア４１は反回転時に、空転状態にあり、ペーパーフィードローラー２１とペーパーアウトプットローラー３１は反回転し、カードを送り入れ、カードの後端がペーパーフィードローラー２１を離れると、駆動モーターは正回転を停止する。
【００２９】
続いて、駆動モーター８０が反回転を開始し、第一伝動ギアセット５０を通して、ペーパーフィードローラー２１及びペーパーアウトプットローラー３１の正回転を連動し、こうしてカードを送り、スキャンが完成し前方から排出されるまでスキャンを行う。
この他、本考案によるオートペーパーフィーダー２００の伝動デバイス１００の駆動モーター８０は、ペーパーピックアップローラーセット１０、ペーパーフィードローラーセット２０及びペーパーアウトプットローラーセット３０を同時に駆動でき、多数の駆動モーターを使用したコントロールを回避することで、コストを削減できる。
【符号の説明】
【００３０】
１００  伝動デバイス
１０  ペーパーピックアップローラーセット
２０  ペーパーフィードローラーセット
２１  ペーパーフィードローラー
２２  ペーパーフィードローラー軸
３０  ペーパーアウトプットローラーセット
３１  ペーパーアウトプットローラー
３２  ペーパーアウトプットローラー軸
４０  ワンウェイギアセット
４１  第一ワンウェイ伝動ギア
４２  第二ワンウェイ伝動ギア
５０  第一ギアセット
５１  駆動ギア
５２  第一伝動ギア
５３  第二伝動ギア
５４  第三伝動ギア
５５  第四伝動ギア
５６  第五伝動ギア
５７  第六伝動ギア
６０  第二ギアセット
６１  第七伝動ギア
６２  第八ワンウェイ伝動ギア
７０  ワンウェイクラッチ
７１  第一クラッチギア
７１１  第一接触凸部
７２  第二クラッチギア
７２１  第二接触凸部
７３  ワンウェイクラッチギア
７４  圧伸バネ
８０  駆動モーター
【図１】
0003211751.tif 000003
【図２】
0003211751.tif 000004
【図３】
0003211751.tif 000005
【図４】
0003211751.tif 000006
【図５】
0003211751.tif 000007
【図６】
0003211751.tif 000008